(57)【要約】      （修正有）【課題】簡単な構成でオブジェクトの数を増やすことができる万華鏡を提供する。【解決手段】万華鏡１０は、本体ユニット１２、第１オブジェクトユニット１４と第２オブジェクトユニット１６とを備える。本体ユニット１２は、筒体２０と、のぞき口２２と、採光口２４と、ミラーユニット２６とを有する。第１オブジェクトユニット１４は、第１連結筒４０と、第１出光口４２と、第１入光口４４と、第１連結筒４０の内部に収容された第１オブジェクト４６とを有する。第２オブジェクトユニット１６は、第２連結筒６０と、第２出光口６２と、第２入光口６４と、第２連結筒６０の内部に収容された第２オブジェクト６６とを有する。筒体２０の先端部に第１連結筒４０の基端部が接続されるとともに、第１連結筒４０の先端部に第２連結筒６０の基端部が接続されている。【選択図】図１
0003156824.tif 000002
【実用新案登録請求の範囲】
【請求項１】
筒体と、前記筒体の基端部に設けられたのぞき口と、前記筒体の先端部に設けられた採光口と、前記筒体の内部に配置されたミラーとを有する本体ユニットと、
第１連結筒と、前記第１連結筒の基端部に設けられた第１出光口と、前記第１連結筒の先端部に設けられた第１入光口と、前記第１連結筒の内部に収容された第１オブジェクトとを有する第１オブジェクトユニットと、
第２連結筒と、前記第２連結筒の基端部に設けられた第２出光口と、前記第２連結筒の先端部に設けられた第２入光口と、前記第２連結筒の内部に収容された第２オブジェクトとを有する第２オブジェクトユニットとを備え、
前記筒体の前記先端部に前記第１連結筒の前記基端部が接続されるとともに、前記第１連結筒の前記先端部に前記第２連結筒の前記基端部が接続された、万華鏡。
【請求項２】
前記本体ユニットは、前記筒体の先端部に設けられた本体接続部を有しており、
前記第１オブジェクトユニットは、前記第１連結筒の前記基端部に設けられ、前記本体接続部に着脱自在に接続される第１出光側接続部と、前記第１連結筒の前記先端部に設けられた第１入光側接続部とを有しており、
前記第２オブジェクトユニットは、前記第２連結筒の前記基端部に設けられ、前記第１入光側接続部に着脱自在に接続される第２出光側接続部を有している、請求項１に記載の万華鏡。
【請求項３】
前記本体接続部および前記第１出光側接続部は、互いに着脱自在に接合されるねじ構造を有しており、
前記第１入光側接続部および前記第２出光側接続部は、互いに着脱自在に接合されるねじ構造を有している、請求項２に記載の万華鏡。
【請求項４】
前記第２オブジェクトユニットは、前記第２連結筒の先端部に設けられ、前記第１出光側接続部に接続可能なように構成された第２入光側接続部を有しており、
前記第２連結筒の前記第２出光側接続部は、前記本体接続部に接続可能なように構成されている、請求項２または３に記載の万華鏡。
【請求項５】
前記第１連結筒および前記第２連結筒の少なくとも一方には、光透過性を有して前記第１オブジェクトおよび前記第２オブジェクトの少なくとも一方を閉じ込める密閉室が構成されている、請求項１ないし４のいずれかに記載の万華鏡。
【考案の詳細な説明】
【技術分野】
【０００１】
本考案は、のぞき口から見える模様の態様を多様化させることができる万華鏡に関する。
【背景技術】
【０００２】
従来の万華鏡は、特許文献１に開示されているように、筒体と、筒体の基端部に設けられたのぞき口と、筒体の先端部に設けられた採光口と、筒体の内部に配置されたミラーと、筒体の内部に収容されたオブジェクト（観察対象物）とを有している。そして、万華鏡を使用する際には、オブジェクトの像をミラーに投影させて模様を形成し、当該模様をのぞき口から見るようにしていた。また、異なる模様を見たいときには、筒体を振ってオブジェクトの位置を変化させるようにしていた。
【先行技術文献】
【特許文献】
【０００３】
【特許文献１】特開２００５−２０８２１３号公報
【考案の概要】
【考案が解決しようとする課題】
【０００４】
従来の万華鏡では、オブジェクトの位置を変化させることによって模様の態様を変化させていたが、筒体の内部におけるオブジェクトの収容スペースには限りがあるため、オブジェクトの数を増やすことが困難であり、模様の態様を多様化することができなかった。
【０００５】
また、オブジェクトの種類を変更する場合には、筒体の内部からオブジェクトを取り出す必要があるため、その作業に多大な手間と時間を要するという問題があった。また、その作業において、筒体の内部に異物（塵埃等）が入り込むおそれがあり、当該異物によってミラーが汚れるおそれがあった。
【０００６】
本考案は、上記課題を解決するためになされたものであり、簡単な構成でオブジェクトの数を増やすことができる、万華鏡を提供することを目的とする。また、オブジェクトの数や種類を、ミラーの汚れを防止しつつ簡単かつ迅速に変更することができる、万華鏡を提供することを目的とする。
【課題を解決するための手段】
【０００７】
上記課題を解決するために、本考案の万華鏡は、筒体と、前記筒体の基端部に設けられたのぞき口と、前記筒体の先端部に設けられた採光口と、前記筒体の内部に配置されたミラーとを有する本体ユニットと、第１連結筒と、前記第１連結筒の基端部に設けられた第１出光口と、前記第１連結筒の先端部に設けられた第１入光口と、前記第１連結筒の内部に収容された第１オブジェクトとを有する第１オブジェクトユニットと、第２連結筒と、前記第２連結筒の基端部に設けられた第２出光口と、前記第２連結筒の先端部に設けられた第２入光口と、前記第２連結筒の内部に収容された第２オブジェクトとを有する第２オブジェクトユニットとを備え、前記筒体の前記先端部に前記第１連結筒の前記基端部が接続されるとともに、前記第１連結筒の前記先端部に前記第２連結筒の前記基端部が接続されている。
【０００８】
この構成では、筒体の先端部に第１連結筒の基端部が接続されるとともに、第１連結筒の先端部に第２連結筒の基端部が接続されているので、第１連結筒内に位置する第１オブジェクトと、第２連結筒内に位置する第２オブジェクトとが、ミラーに照射される光の進行方向（光軸方向）に並べて配置される。したがって、ミラーには、第１連結筒内に位置する第１オブジェクトの像と、第２連結筒内に位置する第２オブジェクトの像とが重畳的に投影されることになり、のぞき口から見たときには、これらの像が一体となった複雑な模様を観察することができる。つまり、この構成では、本体ユニットの外部において、第１オブジェクトと第２オブジェクトとが光の進行方向に並べて配置されるので、本体ユニットにおける筒体の容積にかかわらず、オブジェクトの数を簡単に増やすことができる。
【０００９】
前記本体ユニットは、前記筒体の先端部に設けられた本体接続部を有しており、前記第１オブジェクトユニットは、前記第１連結筒の前記基端部に設けられ、前記本体接続部に着脱自在に接続される第１出光側接続部と、前記第１連結筒の前記先端部に設けられた第１入光側接続部とを有しており、前記第２オブジェクトユニットは、前記第２連結筒の前記基端部に設けられ、前記第１入光側接続部に着脱自在に接続される第２出光側接続部を有していてもよい。
【００１０】
この構成では、第１出光側接続部が本体接続部に着脱自在に接続され、第２出光側接続部が第１入光側接続部に着脱自在に接続されるので、本体ユニット、第１オブジェクトユニットおよび第２オブジェクトユニットを分割することが可能であり、第１オブジェクトユニットおよび第２オブジェクトユニットを他の種類のものに簡単かつ迅速に交換することができる。
【００１１】
また、本体ユニットにおける筒体の内部にミラーが配置されており、第１オブジェクトユニットにおける第１連結筒の内部に第１オブジェクトが収容されており、第２オブジェクトユニットにおける第２連結筒の内部に第２オブジェクトが収容されているので、第１オブジェクトおよび第２オブジェクトを交換する作業、すなわち第１オブジェクトユニットおよび第２オブジェクトユニットを交換する作業において、ミラーに異物（塵埃等）が付着するのを防止することができる。
【００１２】
前記本体接続部および前記第１出光側接続部は、互いに着脱自在に接合されるねじ構造を有しており、前記第１入光側接続部および前記第２出光側接続部は、互いに着脱自在に接合されるねじ構造を有していてもよい。
【００１３】
この構成は、本体接続部、第１出光側接続部、第１入光側接続部および第２出光側接続部の具体的な構造を「ねじ構造」に特定したものである。
【００１４】
前記第２オブジェクトユニットは、前記第２連結筒の先端部に設けられ、前記第１出光側接続部に接続可能なように構成された第２入光側接続部を有しており、前記第２連結筒の前記第２出光側接続部は、前記本体接続部に接続可能なように構成されていてもよい。
【００１５】
この構成では、本体接続部に第２出光側接続部を接続し、第２入光側接続部に第１出光側接続部を接続することによって、第１オブジェクトユニットと第２オブジェクトユニットの位置を入れ替えることができるので、ミラーに重畳的に投影される第１オブジェクトおよび第２オブジェクトのそれぞれの像の位置を入れ替えることができ、多様な模様を得ることができる。また、第２入光側接続部を用いてさらに第３オブジェクトユニットを連結することが可能であり、適宜の数のオブジェクトユニットを連結することによって、多様な模様を得ることもできる。
【００１６】
前記第１連結筒および前記第２連結筒の少なくとも一方には、光透過性を有して前記第１オブジェクトおよび前記第２オブジェクトの少なくとも一方を閉じ込める密閉室が構成されていてもよい。
【００１７】
この構成では、密閉室において第１オブジェクトおよび第２オブジェクトの位置を規定することができるので、第１オブジェクトおよび第２オブジェクトの像を、ミラーに対して位置ずれを生じることなく確実に投影させることができる。また、第１オブジェクトユニットおよび第２オブジェクトユニットの位置を入れ替えたり、これらを他のものに交換したりする際には、第１オブジェクトおよび第２オブジェクトが第１連結筒および第２連結筒から脱落するのを密閉室によって防止することができる。
【考案の効果】
【００１８】
本考案によれば、第１オブジェクトと第２オブジェクトとが光の進行方向（光軸方向）に並べて配置され、第１オブジェクトの像と第２オブジェクトの像とがミラーに対して重畳的に投影されるので、簡単な構成でオブジェクトの数を増やすことが可能であり、模様の態様を多様化することができる。また、第１オブジェクトユニットおよび第２オブジェクトユニットの位置を入れ替えたり、これらを他のものに交換したりすることによって、オブジェクトの数や種類を、ミラーの汚れを防止しつつ簡単かつ迅速に変更することができる。
【図面の簡単な説明】
【００１９】
【図１】図１は第１実施形態に係る万華鏡の構成を示す斜視図である。
【図２】図２は第１実施形態に係る万華鏡の構成を示す分解断面図である。
【図３】図３は本体ユニットの構成を示す分解斜視図である。
【図４】図４（Ａ）は第２実施形態に係る万華鏡の構成を示す断面図、図４（Ｂ）は第２実施形態に係る万華鏡の構成を示す分解断面図である。
【考案を実施するための形態】
【００２０】
以下に、本考案の好ましい実施形態を、図面を参照しながら説明する。
（第１実施形態）
図１および図２に示す第１実施形態に係る万華鏡１０は、本体ユニット１２と、第１オブジェクトユニット１４と、第２オブジェクトユニット１６と、蓋部１８とを備えている。なお、本実施形態に係る万華鏡１０は、ペンダントヘッドとしても使用可能な小型万華鏡であり、軸方向長さが５ｃｍ程度、最大外径が１ｃｍ程度に設計されている。ただし、万華鏡１０のサイズは、特に限定されるものではなく、たとえば既存の一般的な万華鏡と同じサイズ（軸方向長さ５〜３０ｃｍ）であってもよい。
［本体ユニットの構成］
図３に示すように、本体ユニット１２は、筒体２０と、のぞき口２２と、採光口２４と、ミラーユニット２６と、出光側蓋体２８と、入光側蓋体３０とによって構成されている。
【００２１】
筒体２０は、略円形の横断面を有する本体部２０ａと、本体部２０ａの軸方向一方端部、すなわち「観察者の眼球（図示省略）が位置する側の端部（以下、「基端部」という。）」から軸方向に連続して形成された鍔状の大径部２０ｂとを有している。大径部２０ｂの外径は、本体部２０ａの外径よりも大きく設計されており、これにより、筒体２０の外面には段差２０ｃが構成されている。また、本体部２０ａにおける軸方向他方端部、すなわち「上記基端部とは反対側の端部（以下、「先端部」という。）」の外面には、「本体接続部」としての雄ねじ部３２が形成されている。なお、筒体２０（雄ねじ部３２を除く。）の断面形状は、略円形に限定されるものではなく、楕円形や多角形（三角形、四角形、六角形等）であってもよい。
【００２２】
のぞき口２２は、筒体２０内のミラー３４ａ，３４ｂ上に形成された模様（図示省略）を見るために、観察者がのぞく開口部であり、本実施形態では、筒体２０の基端部に位置する大径部２０ｂの内径を小さくすることによって、のぞき口２２が構成されている。一方、採光口２４は、筒体２０の内部に光を入射させるための開口部であり、本実施形態では、筒体２０の先端部に位置する本体部２０ａの開口部が、そのまま採光口２４となっている。
【００２３】
ミラーユニット２６は、採光口２４から筒体２０の内部に入射した光の像が投影される２枚のミラー３４ａおよび３４ｂと、これらを支持する支持部材３６とを有している。ミラー３４ａおよび３４ｂは、表面に反射面を有する略長方形の板状部材であり、これらは、長辺どうしを付き合わせた状態で、平面視形状（すなわち、のぞき口２２側から見たときの形状）が略Ｖ字状になるように組み合わされている。支持部材３６は、ミラー３４ａおよび３４ｂの位置関係を安定的に保持する板状部材であり、ミラー３４ａおよび３４ｂの組合せ角度に応じた角度で略Ｖ字状に折り曲げられている。そして、支持部材３６の２つの内側面に対して、ミラー３４ａおよび３４ｂの背面が接着剤等によって接合されている。
【００２４】
なお、ミラーユニット２６の構成は、２枚のミラーを略Ｖ字状に組み合わせた構成に限定されるものではなく、多角形（三角形、四角形、六角形等）に組み合わせた構成であってもよい。
【００２５】
出光側蓋体２８は、筒体２０の基端部に位置するのぞき口２２から異物や水分が入り込むのを防止する円板状の部材であり、入光側蓋体３０は、筒体２０の先端部に位置する採光口２４から異物や水分が入り込むのを防止する円板状の部材であり、これらは、透明ガラスまたは透明アクリル等のような光透過性を有する材料で形成されている。なお、出光側蓋体２８および入光側蓋体３０の形状は、筒体２０の内面形状に応じて設計されており、当該内面形状が楕円形および多角形等であれば、これらの形状も楕円形および多角形等に設計される。
【００２６】
そして、筒体２０の内部における基端部に出光側蓋体２８が配設されており、筒体２０の内部における先端部に入光側蓋体３０が配設されており、出光側蓋体２８と入光側蓋体３０とで挟まれた密閉室Ｓ０にミラーユニット２６が配設されている。したがって、図２に示すように、本体ユニット１２が第１オブジェクトユニット１４および第２オブジェクトユニット１６から分離された状態でも、筒体２０の内部に異物や水分が入り込むことはなく、ミラー３４ａおよび３４ｂに対する異物（塵埃等）の付着や、湿気によるミラーユニット２６の腐食を防止することができる。
［第１オブジェクトユニットの構成］
図２に示すように、第１オブジェクトユニット１４は、第１連結筒４０と、第１出光口４２と、第１入光口４４と、第１オブジェクト４６と、出光側仕切り材４８と、入光側仕切り材５０とによって構成されている。
【００２７】
第１連結筒４０は、略円形の横断面を有する本体部４０ａと、本体部４０ａの先端部から軸方向に連続して形成された小径部４０ｂとを有している。本体部４０ａの内径は、本体ユニット１２における本体部２０ａの外径とほぼ同じに設計されており、小径部４０ｂの内径は、本体部２０ａの内径とほぼ同じに設計されており、小径部４０ｂの外径は、本体部２０ａの外径とほぼ同じに設計されている。これにより、第１連結筒４０の外面および内面には、段差４０ｃおよび４０ｄが構成されている。また、本体部４０ａの内面には、本体ユニット１２の雄ねじ部３２に接続（螺合）される「第１出光側接続部」としての雌ねじ部５２が形成されており、小径部４０ｂの外面には、「第１入光側接続部」としての雄ねじ部５４が本体ユニット１２の雄ねじ部３２と同じ形状に形成されている。なお、第１連結筒４０（雌ねじ部５２および雄ねじ部５４を除く。）の断面形状は、略円形に限定されるものではなく、楕円形や多角形（三角形、四角形等）であってもよい。
【００２８】
第１出光口４２は、第１連結筒４０の基端部に形成された開口部であり、本実施形態では、第１連結筒４０の基端部に位置する本体部４０ａの開口部がそのまま第１出光口４２となっている。一方、第１入光口４４は、第１連結筒４０の先端部に形成された開口部であり、本実施形態では、第１連結筒４０の先端部に位置する小径部４０ｂの開口部がそのまま第１入光口４４となっている。
【００２９】
第１オブジェクト４６は、ミラー３４ａおよび３４ｂ（図３）に投影される像の実体たる「観察対象物」であり、具体的には、ガラス片、プラスチック片、貝殻、砂および小石等が第１オブジェクト４６として用いられる。なお、第１オブジェクト４６は、単独物または集合物のいずれでもよいが、本実施形態の第１オブジェクト４６は、複数のオブジェクトからなる集合物である。
【００３０】
出光側仕切り材４８および入光側仕切り材５０は、第１連結筒４０の内部において、第１オブジェクト４６を閉じ込める密閉室Ｓ１を構成する円板状の部材であり、これらは、密閉室Ｓ１に光透過性を持たせるために、透明ガラスまたは透明アクリル等のような光透過性を有する材料で形成されている。なお、出光側仕切り材４８および入光側仕切り材５０の形状は、第１連結筒４０の内面形状に応じて設計されており、当該内面形状が楕円形および多角形等であれば、これらの形状も楕円形および多角形等に設計される。
【００３１】
そして、第１連結筒４０の内部における雌ねじ部５２よりも先方に出光側仕切り材４８が配設されており、段差４０ｄに入光側仕切り材５０が配設されており、出光側仕切り材４８と入光側仕切り材５０との間に密閉室Ｓ１が構成されている。また、密閉室Ｓ１の内部に第１オブジェクト４６が収容されている。したがって、第１オブジェクトユニット１４が本体ユニット１２および第２オブジェクトユニット１６から分離された状態（図２）でも、密閉室Ｓ１の内部に異物が入り込むことはなく、第１オブジェクト４６に対する異物（塵埃等）の付着を防止することができる。また、第１連結筒４０の内部から第１オブジェクト４６が脱落するのを防止することができる。
［第２オブジェクトユニットの構成］
図２に示すように、第２オブジェクトユニット１６は、第１オブジェクトユニット１４と同様に構成されている。つまり、第２オブジェクトユニット１６は、第２連結筒６０と、第２出光口６２と、第２入光口６４と、第２オブジェクト６６と、出光側仕切り材６８と、入光側仕切り材７０とによって構成されている。なお、第２オブジェクトユニット１６の細部については、第１オブジェクトユニット１４と同様に適宜変更されてもよい。
【００３２】
第２連結筒６０は、略円形の横断面を有する本体部６０ａと、本体部６０ａの先端部から軸方向に連続して形成された小径部６０ｂとを有している。本体部６０ａの内径は、第１オブジェクトユニット１４における本体部４０ａの内径とほぼ同じに設計されており、本体部６０ａの外径は、本体部４０ａの外径とほぼ同じに設計されている。また、小径部６０ｂの内径は、第１オブジェクトユニット１４における小径部４０ｂの内径とほぼ同じに設計されており、小径部６０ｂの外径は、小径部４０ｂの外径とほぼ同じに設計されている。これにより、第２連結筒６０の外面および内面には、段差６０ｃおよび６０ｄが構成されている。また、本体部６０ａの内面には、第１オブジェクトユニット１４の雄ねじ部５４に接続（螺合）される「第２出光側接続部」としての雌ねじ部７２が、本体ユニット１２の雄ねじ部（本体接続部）３２にも接続可能なように形成されており、小径部６０ｂの外面には、「第２入光側接続部」としての雄ねじ部７４が、第１オブジェクトユニット１４の雌ねじ部（第１出光側接続部）５２に接続可能なように、本体ユニット１２の雄ねじ部３２と同じ形状に形成されている。
【００３３】
第２出光口６２は、第２連結筒６０の基端部に形成された開口部であり、本実施形態では、第２連結筒６０の基端部に位置する本体部６０ａの開口部がそのまま第２出光口６２となっている。一方、第２入光口６４は、第２連結筒６０の先端部に形成された開口部であり、本実施形態では、第２連結筒６０の先端部に位置する小径部６０ｂの開口部がそのまま第２入光口６４となっている。
【００３４】
第２オブジェクト６６は、ミラー３４ａおよび３４ｂに投影される像の実体たる「観察対象物」であり、具体的には、ガラス片、プラスチック片、貝殻、砂および小石等が第２オブジェクト６６として用いられる。なお、第２オブジェクト６６は、単独物または集合物のいずれでもよいが、本実施形態の第２オブジェクト６６は、複数のオブジェクトからなる集合物である。
【００３５】
出光側仕切り材６８および入光側仕切り材７０は、第２連結筒６０の内部において、第２オブジェクト６６を閉じ込める密閉室Ｓ２を構成する円板状の部材であり、これらは、密閉室Ｓ２に光透過性を持たせるために、透明ガラスまたは透明アクリル等のような光透過性を有する材料で形成されている。
【００３６】
そして、第２連結筒６０の内部における雌ねじ部７２よりも先方に出光側仕切り材６８が配設されており、段差６０ｄに入光側仕切り材７０が配設されており、出光側仕切り材６８と入光側仕切り材７０との間に密閉室Ｓ２が構成されている。また、密閉室Ｓ２の内部に第２オブジェクト６６が収容されている。したがって、第２オブジェクトユニット１６が本体ユニット１２および第１オブジェクトユニット１４から分離された状態（図２）でも、密閉室Ｓ２の内部に異物が入り込むことはなく、第２オブジェクト６６に対する異物（塵埃等）の付着を防止することができる。また、第２連結筒６０の内部から第２オブジェクト６６が脱落するのを防止することができる。
［蓋部の構成］
図２に示すように、蓋部１８は、万華鏡１０の先端部を保護するキャップ状の部材であり、蓋部本体８０と、円板状の蓋体８２とを有している。
【００３７】
蓋部本体８０は、略円形の横断面を有する筒状部材であり、蓋部本体８０の基端部内面には、第２オブジェクトユニット１６の雄ねじ部７４に接続（螺合）される雌ねじ部８４が形成されており、蓋部本体８０の先端部には、他の部分よりも内径が小さくなった小径部８６が形成されており、小径部８６の開口部が入光口８８となっている。蓋部本体８０の外径は、第２オブジェクトユニット１６における本体部６０ａの外径とほぼ同じに設計されている。一方、蓋体８２は、入光口８８から異物や水分が入り込むのを防止する円板状の部材であり、透明ガラスまたは透明アクリル等のような光透過性を有する材料で形成されている。そして、蓋部本体８０の内部における小径部８６の基端部に蓋体８２が配設されている。
［万華鏡の使用方法］
万華鏡１０を使用する際には、まず、図２に示すように、本体ユニット１２、第１オブジェクトユニット１４、第２オブジェクトユニット１６および蓋部１８を、これらの接続部（ねじ構造）で相互に接続して万華鏡１０（図１）を組み立てる。そして、蓋部１８の先端部に位置する入光口８８から万華鏡１０の内部に光を取り込み、ミラー３４ａおよび３４ｂ（図２）に投影された第１オブジェクト４６および第２オブジェクト６６の像（すなわち模様）をのぞき口２２から観察する。
【００３８】
本実施形態では、第２連結筒６０の内部に位置する第２オブジェクト６６の像と、第１連結筒４０の内部に位置する第１オブジェクト４６の像とが、ミラー３４ａおよび３４ｂ（図２）に対して重畳的に投影されるので、観察者は、第１オブジェクト４６および第２オブジェクト６６のいずれか一方だけを用いる場合に比べて、より複雑な模様を観察することができる。
【００３９】
また、密閉室Ｓ１において第１オブジェクト４６の位置を規定し、密閉室Ｓ２において第２オブジェクト６６の位置を規定することができるので、第１オブジェクト４６および第２オブジェクト６６のそれぞれの像を、ミラー３４ａおよび３４ｂ（図２）に対して位置ずれを生じることなく確実に投影させることができる。
【００４０】
そして、本実施形態では、第１オブジェクトユニット１４の雌ねじ部５２および雄ねじ部５４と、第２オブジェクトユニット１６の雌ねじ部７２および雄ねじ部７４とが同じ形状に形成されているので、第１オブジェクトユニット１４と第２オブジェクトユニット１６の位置を入れ替えることが可能であり、ミラー３４ａおよび３４ｂ（図２）に重畳的に投影される２つの像の位置を入れ替えて、模様の態様を変化させることができる。
【００４１】
さらに、本実施形態では、第２オブジェクトユニット１６の先端部に「第２入光側接続部」としての雄ねじ部７４が形成されているので、この雄ねじ部７４を用いてさらに第３オブジェクトユニット（図示省略）を連結することが可能であり、適宜の数のオブジェクトユニットを連結することによって、多様な模様を得ることができる。この場合には、全てのオブジェクトユニット（オブジェクトを除く。）を同じ構成にすることができるので、模様の多様化のためのコストを抑制することができる。
【００４２】
なお、本実施形態では、「本体接続部」、「第１出光側接続部」、「第１入光側接続部」、「第２出光側接続部」および「第２入光側接続部」として、「雄ねじ部３２」、「雌ねじ部５２」、「雄ねじ部５４」、「雌ねじ部７２」および「雄ねじ部７４」を用いているが、互いに螺合される「雄ねじ部」と「雌ねじ部」との関係は逆に構成されてもよい。また、これらの「接続部」としては、「ねじ構造」に代えて、「単純な挿し込み構造」や「留め具を用いた構造」が用いられてもよいし、「マグネットの磁力で接続する構造」が用いられてもよい。
（第２実施形態）
図４に示す第２実施形態に係る万華鏡９０は、第１実施形態に係る万華鏡１０における第２オブジェクトユニット１６および蓋部１８を、１つの第２オブジェクトユニット９２に変更したものであり、他の部分については、万華鏡１０と同様に構成されている。したがって、万華鏡１０の構成要素に対応する部分には、当該構成要素と同じ参照番号を付し、重複する説明は省略する。
【００４３】
図４（Ａ）に示すように、第２オブジェクトユニット９２は、第２連結筒１００と、第２出光口１０２と、第２入光口１０４と、蓋体１０６、第２オブジェクト１０８とによって構成されている。
【００４４】
第２連結筒１００は、略円形の横断面を有する筒状部材であり、第２連結筒１００の外径は、第１オブジェクトユニット１４における本体部４０ａの外径とほぼ同じに設計されている。また、第２連結筒１００の基端部内面には、第１オブジェクトユニット１４の雄ねじ部５４に接続（螺合）される雌ねじ部１１０が形成されており、第２連結筒１００の先端部には、他の部分よりも内径が小さくなった小径部１１２が形成されている。そして、第２連結筒１００の基端部に位置する開口部がそのまま第２出光口１０２となっており、第２連結筒１００の先端部に位置する小径部１１２の開口部がそのまま第２入光口１０４となっている。一方、蓋体１０６は、第２入光口１０４から異物が入り込むのを防止する円板状の部材であり、透明ガラスまたは透明アクリル等のような光透過性を有する材料で形成されている。そして、第２連結筒１００の内部における小径部１１２の基端部に蓋体１０６が配設されている。
【００４５】
第２オブジェクト１０８は、ミラー３４ａおよび３４ｂに投影される像の実体たる「観察対象物」であり、具体的には、ガラス片、プラスチック片、貝殻、砂および小石等が第２オブジェクト１０８として用いられる。なお、第２オブジェクト１０８は、単独物または集合物のいずれでもよいが、本実施形態の第２オブジェクト１０８は、複数のオブジェクトからなる集合物である。
【００４６】
第２実施形態に係る万華鏡９０では、第２オブジェクトユニット９２が密閉室Ｓ２（図２）を有しておらず、第２オブジェクトユニット９２の蓋体１０６と第１オブジェクトユニット１４の入光側仕切り材５０とによって囲まれた空間が密閉空間Ｓ３となっており、当該密閉空間Ｓ３に第２オブジェクト１０８が収容されている。したがって、図４（Ｂ）に示すように、第２オブジェクトユニット９２を第１オブジェクトユニット１４から分離した状態では、密閉空間Ｓ３が開放されることになり、観察者は、密閉空間Ｓ３に位置する第２オブジェクト１０８を他のものに容易に交換することができる。
【００４７】
なお、３つ以上のオブジェクトユニットを連結する場合でも、最先端に位置するオブジェクトユニットに第２オブジェクトユニット９２を用いることが可能であり、この場合には、第１実施形態に係る万華鏡１０（図１）に対して、第２オブジェクトユニット９２を付加的に用いることができる。
【符号の説明】
【００４８】
Ｓ０，Ｓ１，Ｓ２…  密閉室
Ｓ３…  密閉空間
１０…  万華鏡
１２…  本体ユニット
１４…  第１オブジェクトユニット
１６…  第２オブジェクトユニット
１８…  蓋部
２０…  筒体
２２…  のぞき口
２４…  採光口
２６…  ミラーユニット
２８…  出光側蓋体
３０…  入光側蓋体
３２…  雄ねじ部（本体接続部）
３４ａ，３４ｂ…  ミラー
４０…  第１連結筒
４２…  第１出光口
４４…  第１入光口
４６…  第１オブジェクト
５２…  雌ねじ部（第１出光側接続部）
５４…  雄ねじ部（第１入光側接続部）
６０…  第２連結筒
６２…  第２出光口
６４…  第２入光口
６６…  第２オブジェクト
７２…  雌ねじ部（第２出光側接続部）
７４…  雄ねじ部（第２入光側接続部）
８２…  蓋体
８８…  入光口
９０…  万華鏡
９２…  第２オブジェクトユニット
１００…  第２連結筒
１０８…  第２オブジェクト
１１０…  雌ねじ部（第２出光側接続部）
【図１】
0003156824.tif 000003
【図２】
0003156824.tif 000004
【図３】
0003156824.tif 000005
【図４】
0003156824.tif 000006